(57)【要約】【課題】適正な記録剤カートリッジを使用することにより高品質な画像形成を保持すると共に粗悪な記録剤を用いての画像形成を制限する。【解決手段】インクジェットプリンタに装着されているインクカートリッジが取り外され、その後に新たなインクカートリッジが装着されたときには、インクカートリッジが有する記憶素子からインクカートリッジのＩＤを読み込むと共に（Ｓ１００）、インクカートリッジを梱包しているパッケージの外面に記されているバーコードを読み込み（Ｓ１１０）、バーコードを解析して得られるＩＤと記憶素子から読み込んだＩＤとが一致するときには適正なインクカートリッジが装着されたと判断して初期処理を行ない（Ｓ１４０）、ＩＤが一致しないときには不適正なインクカートリッジが装着されたと判断してそれ以降の印刷を禁止する（Ｓ１５０）。【選択図】        図６
2004237609.tif 000002
【特許請求の範囲】
【請求項１】
装着した記録剤カートリッジからの記録剤を用いて紙などの媒体に画像を形成する画像形成装置であって、
前記記録剤カートリッジが装着されたときに該記録剤カートリッジを識別する識別情報を該記録剤カートリッジから取得する識別情報取得手段と、
前記記録剤カートリッジの識別情報と関連付けられた関連情報を該記録剤カートリッジを梱包していたパッケージから取得する関連情報取得手段と、
前記識別情報取得手段により取得された識別情報と前記関連情報取得手段により取得された関連情報とが関連付けられているか否かを判定する関連付け判定手段と、
前記関連付け判定手段により関連付けが判定されたときには前記装着された記録剤カートリッジからの記録剤を用いての画像形成を許可し、前記関連付け判定手段により関連付けが判定されないときには前記装着された記録剤カートリッジからの記録剤を用いての画像形成を制限する画像形成制限手段と、
を備える画像形成装置。
【請求項２】
請求項１記載の画像形成装置であって、
前記関連情報は、前記記録剤カートリッジの識別情報であり、
前記関連付け判定手段は、前記取得された識別情報と前記取得された関連情報とが一致するときに関連付けを判定する手段である
画像形成装置。
【請求項３】
請求項１または２記載の画像形成装置であって、
前記パッケージは複数個の記録剤カートリッジを梱包すると共に該複数個の記録剤カートリッジの識別情報に関連付けられた複数個の関連情報を有するパッケージであり、
前記関連情報取得手段は、前記パッケージから複数個の関連情報を取得する手段であり、
前記関連付け判定手段は、前記取得された識別情報と前記取得された複数の関連情報のいずれかとが関連付けられたときに関連付けを判定する手段である
画像形成装置。
【請求項４】
請求項１ないし３いずれか記載の画像形成装置であって、
前記記録剤カートリッジは、前記識別情報を記憶する記憶素子を備え、
前記識別情報取得手段は、前記記憶素子から記憶している識別情報を取得する手段である
画像形成装置。
【請求項５】
請求項１ないし４いずれか記載の画像形成装置であって、
前記パッケージは、前記関連情報を文字，記号，バーコードなどによる表示情報として所定箇所に表示されてなり、
前記関連情報取得手段は、前記パッケージの所定箇所に表示された表示情報を読み込むと共に解析して関連情報を取得する手段である
画像形成装置。
【請求項６】
前記画像形成制限手段は、前記関連付け判定手段により関連付けが判定されないときには前記装着された記録剤カートリッジからの記録剤を用いての画像形成を所定回数に制限する手段である請求項１ないし５いずれか記載の画像形成装置。
【請求項７】
前記画像形成制限手段は、前記関連付け判定手段により関連付けが判定されないときには前記装着された記録剤カートリッジからの記録剤を用いての画像形成を禁止する手段である請求項１ないし５いずれか記載の画像形成装置。
【請求項８】
複数の色の記録剤が充填された複数の記録剤カートリッジを装着してカラー画像を形成する請求項１ないし７いずれか記載の画像形成装置。
【請求項９】
装着した記録剤カートリッジからの記録剤を用いて紙などの媒体に画像を形成する画像形成装置の制御方法であって、
（ａ）前記記録剤カートリッジが装着されたときに該記録剤カートリッジを識別する識別情報を該記録剤カートリッジから取得し、
（ｂ）前記記録剤カートリッジの識別情報と関連付けられた関連情報を該記録剤カートリッジを梱包していたパッケージから取得し、
（ｃ）前記取得された識別情報と前記取得された関連情報とが関連付けられているか否かを判定し、
（ｄ）該判定により関連付けが判定されたときには前記装着された記録剤カートリッジからの記録剤を用いての画像形成を許可し、前記判定により関連付けが判定されないときには前記装着された記録剤カートリッジからの記録剤を用いての画像形成を禁止する
画像形成装置の制御方法。
【発明の詳細な説明】
【０００１】
【発明の属する技術分野】
本発明は、画像形成装置およびその制御方法に関し、詳しくは、装着した記録剤カートリッジからの記録剤を用いて紙などの媒体に画像を形成する画像形成装置およびその制御方法に関する。
【０００２】
【従来の技術】
従来、この種の画像形成装置としては、記憶素子を有するインクカートリッジを装着して画像形成を行なうものが提案されている（例えば、特許文献１参照）。この画像形成装置では、インクカートリッジの記憶素子に記憶されている用紙種類毎のインクの適正吐出量を用いて印刷しようとする用紙の種類毎にインクの吐出量を変更して印刷することにより、より鮮明で適正な印刷ができるようにしている。
【０００３】
【特許文献１】
特開２００１−２１９６２５号公報（図３）
【０００４】
【発明が解決しようとする課題】
しかしながら、こうした画像形成装置では、インクカートリッジの記憶素子に用紙種類毎にインクの適正吐出量を記憶していても品質の劣るインクをインクカートリッジに充填して画像形成すれば、インクが適正吐出量で吐出されても高品質な画像を得ることができない。また、インクジェットプリンタは精密機械でもあるため、粗悪なインクを用いる画像形成により故障が生じてしまう場合もある。
【０００５】
本発明の画像形成装置およびその制御方法は、適正な記録剤カートリッジを使用することにより高品質な画像形成を保持することを目的の一つとする。また、本発明の画像形成装置およびその制御方法は、粗悪な記録剤を用いての画像形成を制限することを目的の一つとする。
【０００６】
【課題を解決するための手段およびその作用・効果】
本発明の画像形成装置およびその制御方法は、上述の目的の少なくとも一部を達成するために以下の手段を採った。
【０００７】
本発明の画像形成装置は、
装着した記録剤カートリッジからの記録剤を用いて紙などの媒体に画像を形成する画像形成装置であって、
前記記録剤カートリッジが装着されたときに該記録剤カートリッジを識別する識別情報を該記録剤カートリッジから取得する識別情報取得手段と、
前記記録剤カートリッジの識別情報と関連付けられた関連情報を該記録剤カートリッジを梱包していたパッケージから取得する関連情報取得手段と、
前記識別情報取得手段により取得された識別情報と前記関連情報取得手段により取得された関連情報とが関連付けられているか否かを判定する関連付け判定手段と、
前記関連付け判定手段により関連付けが判定されたときには前記装着された記録剤カートリッジからの記録剤を用いての画像形成を許可し、前記関連付け判定手段により関連付けが判定されないときには前記装着された記録剤カートリッジからの記録剤を用いての画像形成を制限する画像形成制限手段と、
を備えることを要旨とする。
【０００８】
この本発明の画像形成装置では、記録剤カートリッジが装着されたときに記録剤カートリッジを識別する識別情報を取得すると共に記録剤カートリッジの識別情報と関連付けられた関連情報を記録剤カートリッジを梱包していたパッケージから取得し、この取得した識別情報と関連情報とが関連付けられているか否かを判定し、関連付けが判定されたときには装着された記録剤カートリッジからの記録剤を用いての画像形成を許可し、関連付けが判定されないときには装着された記録剤カートリッジからの記録剤を用いての画像形成を制限する。即ち、記録剤カートリッジの識別情報とパッケージの関連情報との関連付けが判定されたときに通常の画像形成を行ない、関連付けが判定されないときに画像形成を制限するのである。この結果、粗悪な記録剤が充填された記録剤カートリッジの使用を制限することができ、適正な記録剤カートリッジの使用による高品質な画像形成を保持することができる。
【０００９】
こうした本発明の画像形成装置において、前記関連情報は前記記録剤カートリッジの識別情報であり、前記関連付け判定手段は前記取得された識別情報と前記取得された関連情報とが一致するときに関連付けを判定する手段であるものとすることもできる。こうすれば、識別情報と関連情報との関連付けを容易に判定することができる。
【００１０】
また、本発明の画像形成装置において、前記パッケージは複数個の記録剤カートリッジを梱包すると共に該複数個の記録剤カートリッジの識別情報に関連付けられた複数個の関連情報を有するパッケージであり、前記関連情報取得手段は前記パッケージから複数個の関連情報を取得する手段であり、前記関連付け判定手段は前記取得された識別情報と前記取得された複数の関連情報のいずれかとが関連付けられたときに関連付けを判定する手段であるものとすることもできる。こうすれば、複数個の記録剤カートリッジを単一のパッケージに梱包したものにも対応することができる。
【００１１】
さらに、本発明の画像形成装置において、前記記録剤カートリッジは前記識別情報を記憶する記憶素子を備え、前記識別情報取得手段は前記記憶素子から記憶している識別情報を取得する手段であるものとすることもできる。こうすれば、記録剤カートリッジを装着するだけでその記録剤カートリッジの識別情報を容易に取得することができる。
【００１２】
あるいは、本発明の画像形成装置において、前記パッケージは前記関連情報を文字，記号，バーコードなどによる表示情報として所定箇所に表示されてなり、前記関連情報取得手段は前記パッケージの所定箇所に表示された表示情報を読み込むと共に解析して関連情報を取得する手段であるものとすることもできる。
【００１３】
また、本発明の画像形成装置において、前記画像形成制限手段は、前記関連付け判定手段により関連付けが判定されないときには前記装着された記録剤カートリッジからの記録剤を用いての画像形成を所定回数に制限する手段であるものとすることもできるし、前記関連付け判定手段により関連付けが判定されないときには前記装着された記録剤カートリッジからの記録剤を用いての画像形成を禁止する手段であるものとすることもできる。
【００１４】
なお、本発明は、複数の色の記録剤が充填された複数の記録剤カートリッジを装着してカラー画像を形成する画像形成装置に適用することもできる。
【００１５】
本発明の画像形成装置の制御方法は、
装着した記録剤カートリッジからの記録剤を用いて紙などの媒体に画像を形成する画像形成装置の制御方法であって、
（ａ）前記記録剤カートリッジが装着されたときに該記録剤カートリッジを識別する識別情報を該記録剤カートリッジから取得し、
（ｂ）前記記録剤カートリッジの識別情報と関連付けられた関連情報を該記録剤カートリッジを梱包していたパッケージから取得し、
（ｃ）前記取得された識別情報と前記取得された関連情報とが関連付けられているか否かを判定し、
（ｄ）該判定により関連付けが判定されたときには前記装着された記録剤カートリッジからの記録剤を用いての画像形成を許可し、前記判定により関連付けが判定されないときには前記装着された記録剤カートリッジからの記録剤を用いての画像形成を制限する
ことを要旨とする。
【００１６】
この本発明の画像形成装置の制御方法によれば、記録剤カートリッジが装着されたときに記録剤カートリッジを識別する識別情報と記録剤カートリッジを梱包していたパッケージから取得した関連情報との関連付けが判定されたときには装着された記録剤カートリッジからの記録剤を用いての画像形成を許可し、関連付けが判定されないときには装着された記録剤カートリッジからの記録剤を用いての画像形成を制限することができる。この結果、粗悪な記録剤が充填された記録剤カートリッジの使用を制限することができ、適正な記録剤カートリッジの使用による高品質な画像形成を保持することができる。
【００１７】
【発明の実施の形態】
次に、本発明の実施の形態を実施例を用いて説明する。図１は、本発明の一実施例である印刷装置としてのインクジェットプリンタ２０の構成の概略を示す構成図である。実施例のインクジェットプリンタ２０は、図示するように、コンピュータ１０に接続されており、コンピュータ１０で動作するアプリケーションプログラムなどにより印刷指示されオペレーションシステムに組み込まれたプリンタドライバでインクジェットプリンタ２０で用いるインクの各色のデータに変換して転送された画像や文書などの印刷用データに基づいて画像や文書を印刷用紙１２に印刷する。
【００１８】
インクジェットプリンタ２０は、図示するように、インクカートリッジ７０，８０が取り付けられガイド部材２８に案内されたキャリッジ２２を図中左右方向に移動させるキャリッジベルト３２とキャリッジモータ３４とから構成されるキャリッジ機構３０と、紙送りローラ３８などから構成され印刷用紙１２を図中前後方向に移動可能な紙送り機構３６と、印刷処理の休止中にキャリッジ２２の下部に取り付けられた印刷ヘッド２４のノズル開口部を封止するキャッピング装置４０と、印刷ヘッド２４の表面をブレードなどでワイピングすることにより印刷ヘッド２４の表面に付着したインク滓や紙粉を拭き取るワイピング装置４２と、バーコードを読み取り可能なバーコードリーダ４６と、インクジェットプリンタ２０全体をコントロールするコントローラ５０とを備える。
【００１９】
図２はインクカートリッジ７０の構造の概略を示す斜視図であり、図３はキャリッジ２２におけるインクカートリッジ装着部６０の構造の概略を示す斜視図である。インクカートリッジ７０は、黒（Ｋ）インクが充填される容器として構成されており、側面下部に形成された凹部７１に装着された記憶素子７４と、この記憶素子７４に電気的に接続され凹部７１に取り付けられた複数の接続端子７２とを備え、インクカートリッジ装着部６０に装着されると、複数の接続端子７２がインクカートリッジ装着部６０の内側の側面下部の凸部６１に取り付けられた複数の接続端子６２に接続されて、インクジェットプリンタ２０のコントローラ５０による記憶素子７４へのアクセスを可能としている。インクカートリッジ８０は、図示しないが、シアン（Ｃ），ライトシアン（ＬＣ），マゼンタ（Ｍ），ライトマゼンタ（ＬＭ），イエロー（Ｙ），ダークイエロー（ＤＹ）などの印刷用に用いる黒（Ｋ）以外の色のインクを各々収納する容器として構成されており、インクカートリッジ７０と同様に、インクカートリッジ装着部に装着されたときにインクカートリッジ装着部の複数の接続端子に電気的に接続されてインクジェットプリンタ２０のコントローラ５０によりアクセス可能とされる記憶素子を備えている。この構成については、インクカートリッジ７０と同様なので、その詳細な説明は省略する。
【００２０】
図４は、実施例のインクジェットプリンタ２０を機能ブロックにより例示するブロック図である。コントローラ５０は、ＣＰＵ５１を中心とするマイクロプロセッサとして構成されており、処理プログラムや各種データを記憶するＲＯＭ５２と、データを一時的に記憶するＲＡＭ５３と、時間を計時するタイマ５４と、周辺機器との信号の入出力を司る周辺機器入出力部５５と、印刷ヘッド２４にドット形成のためのオン・オフ信号を供給するバッファとしての駆動バッファ５６と、所定周波数で駆動波形を出力する発振器５８と、発振器５８からの出力を印刷ヘッド２４に所定のタイミングで分配する分配出力器５７とを備える。なお、ＣＰＵ５１やＲＯＭ５２，ＲＡＭ５３，タイマ５４，周辺機器入出力部５５は、バス５９により接続されている。周辺機器入出力部５５には、種々の設定を行なう図示しない操作パネル４４からの設定信号やコンピュータ１０からの制御信号，バーコードリーダ４６からの読み込み信号などが入力されており、周辺機器入出力部５５からは、操作パネル４４への表示信号やキャリッジモータ３４への駆動信号，紙送り機構３６への駆動信号，コンピュータ１０への制御信号などが出力されている。
【００２１】
記憶素子７４は、書き替え可能なＥＥＰＲＯＭにより構成されており、図示するように、記憶領域としてのメモリセル７５と、このメモリセル７５におけるデータの読み書きを制御するリード・ライト制御部７６と、コントローラ５０からのクロック信号に基づいてリード・ライト制御部７６を介してインクジェットプリンタ２０のコントローラ５０とメモリセル７５との間でデータの読み書きを行なう際のカウントアップを行なうアドレスカウンタ７７とを備え、インクジェットプリンタ２０のコントローラ５０によりメモリセル７５へのデータの読み書きができるようになっている。
【００２２】
図５は、インクカートリッジ７０に装着された記憶素子７４のメモリセル７５に記憶されるデータの構造の一例を示す説明図である。メモリセル７５には、図示するように、インクカートリッジ７０のＩＤ，製造年月日，インク種，色，インクカートリッジ７０のインクカートリッジ装着部６０への取り付け年月日，インクカートリッジ７０のインクカートリッジ装着部６０からの取り外し年月日，インク残量などのデータを記憶する領域が確保されている。インクカートリッジ７０のＩＤは、適合するプリンタの機種を識別する符号とカートリッジ自体を識別する符号とにより構成されている。実施例のプリンタ２０のコントローラ５０では、図示しないインク残量演算処理により、印刷ヘッド２４のノズル開口部から吐出されるインク滴重量とインク滴の吐出回数とを乗じて計算されるインク吐出量に印刷ヘッド２４への気泡混入などの異常時にインクをポンプ吸引して復帰させる際のインク吸引量を加えたインク消費量を印刷動作開始時に読み込んだインク残量から減じることによってインク残量を計算し、印刷動作終了時に記憶素子７４のインク残量の値を書き替えている。なお、インクカートリッジ８０が装着する記憶素子でも、インクカートリッジ７０と同様に、インクカートリッジ８０のＩＤ，製造年月日，インク種，色，インクカートリッジ８０のインクカートリッジ装着部への取り付け年月日，インクカートリッジ８０のインクカートリッジ装着部からの取り外し年月日，各色毎のインク残量などのデータを記憶する領域が確保されている。インクカートリッジ８０は、複数のインクに関する点を除いて基本的にはインクカートリッジ７０と同様の構成であるから、インクカートリッジ７０についての説明はインクカートリッジ８０でも同様であるので、その詳細な説明は省略する。
【００２３】
次に、こうして構成されたインクジェットプリンタ２０の動作、特にインクカートリッジ７０やインクカートリッジ８０を取り付けたときの動作について説明する。図６は、コントローラ５０により実行されるカートリッジ交換時処理の一例を示すフローチャートである。このカートリッジ交換時処理は、インクカートリッジ７０やインクカートリッジ８０が取り外され、新たなインクカートリッジ７０やインクカートリッジ８０が装着されたときに実行される。以下の説明では、インクカートリッジ７０が交換されたときについて説明する。
【００２４】
カートリッジ交換時処理では、コントローラ５０のＣＰＵ５１は、まず、インクカートリッジ７０の記憶素子７４からインクカートリッジ７０のＩＤを読み込む処理を実行する（ステップＳ１００）。続いて、インクカートリッジ７０が梱包されていたパッケージに記されたバーコードをバーコードリーダ４６から読み込む（ステップＳ１１０）。このバーコードの読み込みは、図示しない操作パネル４４にバーコードの読み込みを促す表示を行ない、これに伴って操作者がパッケージに記されたバーコードをバーコードリーダ４６に近接したときにバーコードリーダ４６から読み込む。図７にパッケージ９０の外観の一例を示す。この図７の例のパッケージ９０は、２個のインクカートリッジ７０を梱包しており、正面の右下部に梱包している２個のインクカートリッジ７０のＩＤが記号化されたバーコード９２が記されている。したがって、操作者は、このパッケージ９０の正面の右下部がバーコードリーダ４６に整合するよう近接させることにより、バーコードリーダ４６はバーコード９２を読み込むことができる。
【００２５】
次に、読み込んだバーコード９２から梱包しているインクカートリッジ７０のＩＤを解析し（ステップＳ１２０）、ステップＳ１００で装着したインクカートリッジ７０の記憶素子７４から読み込んだＩＤと解析したＩＤとを比較する（ステップＳ１３０）。インクカートリッジ７０の記憶素子７４から読み込んだＩＤが解析したＩＤのいずれかと一致するときには、適正なインクカートリッジが装着されたと判断し、インクカートリッジ７０を交換したときの初期処理、例えば、インクの噴射テストの処理やインクジェットプリンタ２０によるこれ以降の印刷を許可する処理などを実行して（ステップＳ１４０）、カートリッジ交換時処理を終了する。一方、インクカートリッジ７０の記憶素子７４から読み込んだＩＤが解析したＩＤのいずれとも一致しないときには、不適正なインクカートリッジが装着されたと判断し、インクジェットプリンタ２０によるこれ以降の印刷を禁止すると共に操作パネル４４から警告を出力して（ステップＳ１５０）、交換時の処理を行なうことなく、カートリッジ交換時処理を終了する。こうした処理により、装着された不適正なインクカートリッジによる印刷は禁止される。なお、この不適正なインクカートリッジを取り外して適正なインクカートリッジを装着すると、再びカートリッジ交換時処理が起動され、適正なインクカートリッジであると判断されると、カートリッジ交換時の初期処理が実行され、インクジェットプリンタ２０によるそれ以降の印刷が可能になる。
【００２６】
以上説明した実施例のインクジェットプリンタ２０によれば、インクカートリッジ７０の記憶素子７４に記憶されたインクカートリッジのＩＤとインクカートリッジ７０を梱包していたパッケージ９０に記されたバーコード９２から解析されるＩＤとが一致するときに適正なインクカートリッジであると判断してインクジェットプリンタ２０による印刷を許可し、ＩＤが一致しないときには不適正なインクカートリッジが装着されたと判断し、それ以降のインクジェットプリンタ２０による印刷を禁止することができる。この結果、不適正なインクカートリッジによる印刷に伴って生じ得る不都合、例えば印刷ヘッド２４の目詰まりや印刷物の変色などのインクジェットプリンタ２０の十分な機能を発揮し得ない種々の不都合を回避することができる。
【００２７】
ここで、実施例のインクジェットプリンタ２０は、インクカートリッジ装着部６０を介してインクカートリッジ７０の記憶素子７４からＩＤを読み込むコントローラ５０が識別情報取得手段に相当し、バーコードリーダ４６を用いてパッケージ９０のバーコード９２を読み込むコントローラ５０が関連情報取得手段に相当し、図６に例示するカートリッジ交換時処理のステップＳ１２０及びＳ１３０を実行するコントローラ５０が関連付け判定手段に相当し、同じくカートリッジ交換時処理のステップＳ１３０〜Ｓ１５０を実行するコントローラ５０が画像形成制限手段に相当する。
【００２８】
実施例では、インクジェットプリンタ２０からインクカートリッジ７０を取り外して新たなインクカートリッジ７０を装着したときを想定して説明したが、インクジェットプリンタ２０からインクカートリッジ８０を取り外して新たなインクカートリッジ８０を装着したときも同様である。
【００２９】
実施例では、パッケージ９０で梱包している２個のインクカートリッジ７０のＩＤを記号化したバーコード９２をパッケージ９０の正面の右下部に記すものとしたが、パッケージ９０で梱包している２個のインクカートリッジ７０のＩＤと関連付けられていれば如何なる情報をバーコード９２としてパッケージ９０に記すものとしてもよい。
【００３０】
実施例では、パッケージ９０で梱包している２個のインクカートリッジ７０のＩＤを記号化したバーコード９２をパッケージ９０に記すものとしたが、パッケージ９０で梱包している２個のインクカートリッジ７０のＩＤと関連付けられていれば、バーコード以外の他の文字や記号を用いてパッケージ９０に記すものとしてもよい。この場合、バーコードリーダ４６に代えて他の文字や記号を読み込むものをインクジェットプリンタ２０に設ければよい。
【００３１】
実施例では、記憶素子７４が取り付けられたインクカートリッジ７０を用い、記憶素子７４にＩＤが記憶されているものとしたが、インクカートリッジ７０の外面に文字や記号やバーコードなどによりインクカートリッジ７０を識別する識別情報を記録するものとしてもよい。この場合、インクカートリッジ７０の外面の文字や記号やバーコードなどにより表わされた識別情報を読み込む装置をインクジェットプリンタ２０に取り付ければよい。特に、バーコードによりインクカートリッジ７０の識別情報をその外面に記す場合には、バーコードリーダ４６を用いることができる。
【００３２】
実施例では、パッケージ９０はインクカートリッジ７０を２個梱包するものとしたが、インクカートリッジ７０やインクカートリッジ８０を１個だけ梱包するものや３個以上梱包するものとしても構わない。
【００３３】
実施例では、不適正なインクカートリッジ７０が装着されたと判断したときには、インクジェットプリンタ２０によるそれ以降の印刷を禁止するものとしたが、インクジェットプリンタ２０の機能を制限するものとしてもよい。例えば、所定枚数の印刷だけを許可するものとしたり、インクカートリッジ７０を用いない印刷だけを許可するものとしてもよい。
【００３４】
実施例では、記録剤としてインクを用いるインクジェットプリンタ２０について本発明を適用したが、記録剤としてトナーを用いるカラーレーザプリンタや複写機など他の記録剤を用いる機器に適用することができるのは勿論である。
【００３５】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】インクジェットプリンタ２０の構成の概略を示す構成図。
【図２】インクカートリッジ７０の構造の概略を示す斜視図。
【図３】インクカートリッジ装着部６０の構造の概略を示す斜視図。
【図４】インクジェットプリンタ２０の機能ブロック図。
【図５】メモリセル７５に記憶されるデータの構造の一例を示す説明図。
【図６】カートリッジ交換時処理の一例を示すフローチャート。
【図７】パッケージ９０の外観を例示する説明図。
【符号の説明】
１０  コンピュータ、１２  印刷用紙、２０  プリンタ、２２  キャリッジ、２４  印刷ヘッド、３０  キャリッジ機構、３２  キャリッジベルト、３４  キャリッジモータ、３６  紙送り機構、３８  紙送りローラ、４０  キャッピング装置、４２  ワイピング装置、４４  操作パネル、４６  バーコードリーダ、５０  コントローラ、５１  ＣＰＵ、５２  ＲＯＭ、５３  ＲＡＭ、５４  タイマ、５５  周辺機器入出力部、５６  駆動バッファ、５７  分配出力器、５８  発振器、５９  バス、６０  インクカートリッジ装着部、６１  凸部、６２  複数の接続端子、７０  インクカートリッジ、７１  凹部、７２  複数の接続端子、７４  記憶素子、７５  メモリセル、７６  リード・ライト制御部、７７  アドレスカウンタ、８０  インクカートリッジ、９０  パッケージ、９２  バーコード。
【図１】
2004237609.tif 000003
【図２】
2004237609.tif 000004
【図３】
2004237609.tif 000005
【図４】
2004237609.tif 000006
【図５】
2004237609.tif 000007
【図６】
2004237609.tif 000008
【図７】
2004237609.tif 000009